(57)【特許請求の範囲】
【請求項１】
多数ローラ寄せ板バネ素材を両櫛歯状になるように一定部位で連続させ、これをローラ寄せ板バネ素材集合シートとして供給すること、このローラ寄せ板バネ素材集合シートから個々のローラ寄せ板バネ素材を順次切断成形してローラ寄せ板バネとすること、前記ローラ寄せ板バネのネスト部を備えるクラッチ本体の供給を前記ローラ寄せ板バネ素材集合シートの供給工程と該集合シートからローラ寄せ板バネ素材を切断成形する工程とをローラ寄せ板バネ挿入位置で同期させること、前記ローラ寄せ板バネを前記クラッチ本体の前記ネスト部に挿入することから構成されていることを特徴とするローラ寄せ板バネをクラッチ本体に装着する方法。
【請求項２】
前記ローラ寄せ板バネ素材集合シートが、短冊状をした非屈曲状態の多数のローラ寄せ板バネ素材を並列に配置し、前記ローラ寄せ板バネ素材の両端間を通り且つその長手方向に直交する仮想の軸線上に位置する接続片で相互に連結して形成されていることを特徴とする請求項１に記載のローラ寄せ板バネをクラッチ本体に装着する方法。
【請求項３】
前記ローラ寄せ板バネ素材集合シートの供給側端部の前記ローラ寄せ板バネ素材を切断成形する工程において、最初に前記接続片を境に前記ローラ寄せ板バネ素材の両端側の部分を所定の形状に成形することからなる請求項２に記載のローラ寄せ板バネをクラッチ本体に装着する方法。
【請求項４】
前記ローラ寄せ板バネ素材集合シートの供給側端部の前記ローラ寄せ板バネ素材を切断成形する工程において、最初に、前記接続片を境に前記ローラ寄せ板バネ素材の両端側の部分を所定の形状に成形する時、前記両端側の部分を前記接続片を境に一方を上方へ且つ他方を下方側へ曲げてローラ寄せ板バネ形状に形成することからなる請求項３に記載のローラ寄せ板バネをクラッチ本体に装着する方法。
【請求項５】
前記ローラ寄せ板バネ素材集合シートの供給側端部の前記ローラ寄せ板バネ素材を切断成形した後に、前記ローラ寄せ板バネを前記クラッチ本体の前記ネスト部に挿入する時、前記ローラ寄せ板バネをほぼ９０度回転させながら下方向へ移動して、前記クラッチ本体のネスト部に押し込み棒で挿入して組み付けることからなる請求項４に記載のローラ寄せ板バネ素材集合シートからローラ寄せ板バネを取得してクラッチ本体に装着する方法。
【請求項６】
短冊状をした多数のローラ寄せ板バネ素材が非屈曲状態で且つ所定の間隔を開けて並列に配列され、前記ローラ寄せ板バネ素材の両端間を通り且つその長手方向に直交する仮想の軸線上に位置する接続片で相互に連結して形成された両櫛歯状のローラ寄せ板バネ素材集合シート。
【請求項７】
短冊状をした前記ローラ寄せ板バネ素材が、前記接続片上の前記仮想軸線を境に両端側の部分とも前記接続片より下方側へ曲げてほぼ逆Ｕ字形の板バネ形状に形成されていることを特徴とする請求項６に記載のローラ寄せ板バネ素材集合シート。
【請求項８】
短冊状をした前記ローラ寄せ板バネ素材が、前記接続片上の前記仮想軸線を境に両端側の部分における一方を前記接続片を境に上方へ且つ他方を下方側へ曲げてほぼＳ字形又はＺ字形の板バネ形状に形成されていることを特徴とする請求項６に記載のローラ寄せ板バネ素材集合シート。
【発明の詳細な説明】
【０００１】
【発明の属する技術分野】
本発明はローラ寄せ板バネをクラッチ本体に装着する方法及びこの方法に用いるローラ寄せ板バネ素材集合シートに関し、更に詳しくは多数のローラ寄せ板バネ素材が連続した集合シートから個々のローラ寄板バネを流れ作業的に例えばワンウェイクラッチのクラッチ本体におけるネスト部に装着する、ローラ寄せ板バネをクラッチ本体に装着する方法及びこの方法に用いるローラ寄せ板バネ素材集合シートに関する。
【０００２】
【従来の技術】
従来、小型のワンウェイクラッチは、図９及び図１０に示されるようにクラッチ本体１に外輪２が嵌合されて構成されていた。クラッチ本体１には、周方向に所定の間隔で（ニードル）ローラを収容する凹所３が形成され、これらの凹所３にはそれぞれローラ４が配置されている。各凹所３は、ローラ４が周方向に僅かに移動可能で、且つ一方の周方向側が狭く、また他方の周方向側が広い大きさの楕円状に近い断面形状又はくさび状の断面形状で形成されている。
【０００３】
各凹所３内のローラ４が一方の周方向側に移動した位置にある時、ローラ４の一部の周面部がクラッチ本体１の内周面から径方向内側に僅かに突出するように、クラッチ本体１の内周面には所定位置に開口が形成されている。そして、各凹所３内のローラ４には、当該ローラ４が前述した一方の周方向移動位置に常に存在するように偏位力が付与されており、この偏位力を付与しているのがローラ寄せ板バネ５である。
【０００４】
このローラ寄せ板バネ５は、クラッチ本体１において凹所３に隣接した位置に形成されている「ネスト部」と称する空間部６に配置され、このローラ寄せ板バネ５は短冊状の金属片をＵ字形、Ｓ字形又はＺ字形に曲げて形成されたものであった。次に、このような小型のワンウェイクラッチの動作を簡単に説明する。クラッチ本体１の内周面に形成された開口から僅かに突出しているローラ４の外周部は、クラッチ本体１の中心穴に挿入された回転軸７の外周面と接触している。
【０００５】
回転軸７が矢印Ａ方向に回転すると、回転軸７の外周面に接触しているローラ４が凹所３内においてローラ寄せ板バネ５とは反対側の狭隘側に移動して当該凹所３の壁部と回転軸７とに挟まれて係止し、その結果回転軸７の回転がローラ４を介してクラッチ本体１に伝達される。
【０００６】
他方、回転軸７が矢印Ａとは反対方向の矢印Ｂ方向に回転すると、回転軸７の外周面に接触しているローラ４は凹所３内においてローラ寄せ板バネ５の方向へ転がり当該ローラ寄せ板バネ５を圧縮して広域側に移動する。その結果、ローラ４は凹所３の壁部と回転軸７との係止から回避され、これにより回転軸７の回転はクラッチ本体１に伝達されなくなる。
【０００７】
このような小型のワンウェイクラッチを製造する際、クラッチ本体１のネスト部６にローラ寄せ板バネ５を装着する従来の工程は、図１１に示されるようなローラ寄せ板バネ素材集合シート８を予め製造しておき、このローラ寄せ板バネ素材集合シート８から順次にローラ寄せ板バネ素材８ａを切り離して個々のローラ寄せ板バネ５を取得しながらこれをクラッチ本体１のネスト部６に挿入する方法が取られていた（特公平２−５６５２７号公報）。
【０００８】
このローラ寄せ板バネ素材集合シート８は、図１１からも明らかなようにそれぞれがＳ字形に曲げられた多数のローラ寄せ板バネ素材８ａが並列に並べられてそれらの一端部が連結部片８ｂに一体的に接続した状態の櫛形板状体である。前述の特公平２−５６５２７号公報に開示されたローラ寄せ板バネの装着方法では、このローラ寄せ板バネ素材集合シート８からローラ寄せ板バネ素材８ａを順次切り離して個々のローラ寄せ板バネ５を取得し、これをクラッチ本体１のネスト部６に組み立て機械で挿入するようにしたものである。
【０００９】
【発明が解決しようとする課題】
しかしながら、従来の前述したワンウェイクラッチ組み立て工程におけるローラ寄せ板バネ装着方法では、ローラ寄せ板バネ素材集合シート８が図１１に示されるように各ローラ寄せ板バネ素材８ａの一端部を連結片８ｂに接続して櫛形板状体としたものであるため、このローラ寄せ板バネ素材集合シート８から各ローラ寄せ板バネ素材８ａを切り離すには短冊状のローラ寄せ板バネ素材８ａを、その長手方向に直交する切断線９に沿ってその端部を連結部片８ｂから切断する必要がある。
【００１０】
ローラ寄せ板バネ素材集合シート８からローラ寄せ板バネ素材８ａを切断線９に沿って切り離し、切り離されたローラ寄せ板バネ５をその下方に位置するクラッチ本体１のネスト部６に挿入する時、ローラ寄せ板バネ５の形状からすれば、ローラ寄せ板バネ素材集合シート８から切り離されたローラ寄せ板バネ５を図１１に矢印Ｃで示すようにそのまま真下に落とすようにするのが最も好ましく、従って特公平２−５６５２７号公報に開示されたワンウェイクラッチのローラ寄せ板バネ装着方法ではそのようにしている。
【００１１】
しかし、そのためにはローラ寄せ板バネ素材集合シート８は、当該シートの主表面が垂直になるように立てて供給され、各ローラ寄せ板バネ素材８ａを切断するカッターの刃はこのローラ寄せ板バネ素材集合シート８の面に直角な方向から水平に動いて、各ローラ寄せ板バネ素材８ａの端部を切断線９に沿ってカットしている。そして、切断された各ローラ寄せ板バネ５は上下動するプッシャーという押し込み棒で下方に位置するクラッチ本体１のネスト部６に押し込んでいる。
【００１２】
このようなことから、カッターの刃の動きが横方向で、他方プッシャーの動きが縦方向であるため、両者の動きを別々な機構で行わなければならず、組み立て装置が複雑となるばかりではなく、組み立てスピードを速めることが難しく、その結果組み立て時間も掛かり、生産性があまり良くないという問題があった。
【００１３】
近年、工業製品では、より安価に提供することが求められており、そのため生産性を向上させて、製造コストを可能な限り下げることが重要な課題となっており、このような課題は小型のワンウェイクラッチについても同じである。更に、従来のワンウェイクラッチのローラ寄せ板バネ装着方法では、ローラ寄せ板バネ素材集合シート８からローラ寄せ板バネ５を取得（切断）してクラッチ本体１のネスト部６に装着するまでの工程で不良品が発生しやすく、歩留まりが低いという問題があった。
【００１４】
その理由は、前述したように各ローラ寄せ板バネ素材８ａを切断するカッターの刃がローラ寄せ板バネ素材集合シート８の主表面に直角な方向から水平に動いて、各ローラ寄せ板バネ素材８ａの端部を切断線９に沿ってカットしていること、またカッター刃の動きとは９０度方向を異にする方向即ち上下方向に移動するプッシャーで切断されたローラ寄せ板バネ５をクラッチ本体のネスト部６に押し込んでいることから生じている。
【００１５】
具体的には、ローラ寄せ板バネ素材８ａの端部を切断する時に固定刃、可動刃及びローラ寄せ板バネ素材８ａとの位置関係により、ローラ寄せ板バネ素材８ａに無理な力が加わり、これによりローラ寄せ板バネ素材８ａに不適切な変形を与えてしまい、更に切断後のローラ寄せ板バネ素材８ａを切断刃の方向とは異なる方向にプッシャーで動かすため、それらのタイミングが僅かでも狂うと、やはりローラ寄せ板バネ素材８ａに無理な力が加わり、これが原因でローラ寄せ板バネ素材８ａに不適切な変形を与えてしまう、と考えられている。
【００１６】
この発明の目的は、前述したような従来の問題点を解決するためになされたもので、組み立てスピードを速めて組立て時間を短縮し、生産性を向上させて、安価な製造コストで且つ切断から装着まで作用力の掛け方を適正になるように工夫することにより高い歩留まりでワンウェイクラッチを得ることの可能な、ローラ寄せ板バネをクラッチ本体に装着する方法及びこの方法に用いるローラ寄せ板バネ素材集合シートを提供することにある。
【００１７】
【課題を解決するための手段】
この発明のローラ寄せ板バネをクラッチ本体に装着する方法は、多数ローラ寄せ板バネ素材を両櫛歯状になるように一定部位で連続させ、これをローラ寄せ板バネ素材集合シートとして供給すること、このローラ寄せ板バネ素材集合シートから個々のローラ寄せ板バネ素材を順次切断成形してローラ寄せ板バネとすること、ローラ寄せ板バネのネスト部を備えるクラッチ本体の供給をローラ寄せ板バネ素材集合シートの供給工程と該集合シートからローラ寄せ板バネ素材を切断成形する工程とをローラ寄せ板バネ挿入位置で同期させること、ローラ寄せ板バネをクラッチ本体のネスト部に挿入することから構成されていることを特徴とする。
【００１８】
また、この発明のローラ寄せ板バネをクラッチ本体に装着する方法では、ローラ寄せ板バネ素材集合シートが、短冊状をした非屈曲状態の多数のローラ寄せ板バネ素材を並列に配置し、ローラ寄せ板バネ素材の両端間を通り且つその長手方向に直交する仮想の軸線上に位置する接続片で相互に連結して形成されていることを特徴とする。
【００１９】
更に、この発明のローラ寄せ板バネをクラッチ本体に装着する方法では、ローラ寄せ板バネ素材集合シートの供給側端部のローラ寄せ板バネ素材を切断成形する工程において、最初に接続片を境にローラ寄せ板バネ素材の両端側の部分を所定の形状に成形することを特徴とする。
【００２０】
更にまた、この発明のローラ寄せ板バネをクラッチ本体に装着する方法では、ローラ寄せ板バネ素材集合シートの供給側端部のローラ寄せ板バネ素材を切断成形する工程において、最初に、接続片を境にローラ寄せ板バネ素材の両端側の部分を所定の形状に成形する時、両端側の部分を接続片を境に一方を上方へ且つ他方を下方側へ曲げてローラ寄せ板バネ形状に形成することを特徴とする。
【００２１】
なお、ローラ寄せ板バネ素材集合シートの供給側端部のローラ寄せ板バネ素材を切断成形した後に、ローラ寄せ板バネをクラッチ本体のネスト部に挿入する時、ローラ寄せ板バネをほぼ９０度回転させながら下方向へ移動して、クラッチ本体のネスト部に押し込み棒で挿入して組み付けるようにすることもできる。
【００２２】
また、この発明は前述したローラ寄せ板バネをクラッチ本体に装着する方法に使用するローラ寄せ板バネ素材集合シートでもあり、その構成として、短冊状をした多数のローラ寄せ板バネ素材が非屈曲状態で且つ所定の間隔を開けて並列に配列され、ローラ寄せ板バネ素材の両端間を通り且つその長手方向に直交する仮想の軸線上に位置する接続片で相互に連結して形成された両櫛歯状をしていることを特徴としている。
【００２３】
そして、短冊状をしたローラ寄せ板バネ素材は、接続片上の仮想軸線を境に両端側の部分とも接続片より下方側へ曲げてほぼ逆Ｕ字形の板バネ形状に形成されていることを特徴とする。
【００２４】
更に、短冊状をしたローラ寄せ板バネ素材は、接続片上の仮想軸線を境に両端側の部分における一方を接続片を境に上方へ且つ他方を下方側へ曲げてほぼＳ字形又はＺ字形の板バネ形状に形成することも好ましい。
【００２５】
【発明の実施の形態】
以下、この発明のローラ寄せ板バネをクラッチ本体に装着する方法及びこの方法に用いるローラ寄せ板バネ素材集合シートを図に示される実施形態について更に詳細に説明する。図１は、この発明の第１の実施形態に係るローラ寄せ板バネをクラッチ本体に装着する方法及びこの方法に用いるローラ寄せ板バネ素材集合シートを斜視図で示している。
【００２６】
この第１の実施形態に係るローラ寄せ板バネをクラッチ本体に装着する方法では、ローラ寄せ板バネ素材集合シート１０を使用する。このローラ寄せ板バネ素材集合シート１０は、図１及び図２に示されるように短冊状をした多数のローラ寄せ板バネ素材（以下、板バネ素材と称す）１１が非屈曲状態（平坦な状態）で且つ所定の間隔を開けて並列に配列され、板バネ素材１１の両端間を通り且つその長手方向に直交する仮想の軸線１２上に位置する接続片１３で相互に連結して形成された両櫛歯状をしている。
【００２７】
このような両櫛歯状をしたローラ寄せ板バネ素材集合シート１０は、金属製の細長い薄板を巻いたコイル体１４から以下のようにして形成される。すなわち、コイル体１４から一対の送り出しローラ１５によって間欠的に一定の送りピッチで引き出された薄板鋼板は、スリットパンチング機械（図示せず）によって両側縁部から所定の深さのスリットが所定の間隔で入れられて形成されている。
【００２８】
ローラ寄せ板バネ素材集合シート１０がこのようにして形成される結果、その構成（形状）を表現すると、所定幅の短冊状をした非屈曲状態の多数の板バネ素材１１は、所定の間隔をあけて並列に並び、且つその両端部分１１ａ、１１ｂの間を通り長手方向に直交する仮想の軸線１２上に位置する接続片１３で相互に連結され、これにより両櫛歯状のローラ寄せ板バネ素材集合シート１０が構成されている。
【００２９】
要するに、並列状に並べられた多数の板バネ素材１１は、その長手方向に沿う側縁同士が接続片１３で相互に連結された状態となっている。このローラ寄せ板バネ素材集合シート１０は、ローラ寄せ板バネ５を組み付けるワンウェイクラッチのクラッチ本体１の上方部で、ローラ寄せ板バネ素材集合シート１０の表面をクラッチ本体１に対向させる位置関係で供給される。
【００３０】
このようにしてローラ寄せ板バネ素材集合シート１０が供給されている間に、供給方向先頭部から各板バネ素材１１が順次Ｓ字形に折り曲げられる。すなわち、ローラ寄せ板バネ素材集合シート１０における供給方向側に位置する先頭部の板バネ素材１１が図３に示されるように固定下型１６上に位置決めされた時、可動上型１７が降りて来て、Ｓ字形に屈曲成型される。
【００３１】
具体的には、接続片１３上の仮想軸線１２が通る部分を最上部として、板バネ素材１１の一方の端部分１１ａが下方に折り曲げられ、また他方の端部分１１ｂも下方に折り曲げられると同時にＵ字形に曲げ成型される。その結果、図３から明らかなように屈曲成型された後の板バネ素材１１をその側方から見てみるとＳ字形又はＺ字形になっている。
【００３２】
このことから明らかなように、ローラ寄せ板バネ素材集合シート１０が両櫛歯状に形成される時、接続片１３の位置即ち仮想の軸線１２の通る位置は、板バネ素材１１の両端１１ａ、１１ｂ間二等分位置ではなく、図２から明らかなようにほぼ三等分位置であることが分かる。
【００３３】
短冊状の板バネ素材１１が、前述したようにＳ字形又はＺ字形に屈曲成型された後、引き続きローラ寄せ板バネ素材集合シート１０が一定の送りピッチで送られると、ローラ寄せ板バネ素材集合シート１０の供給方向先頭部に位置し且つ前工程で屈曲成型された板バネ素材１１は図４及び図５に示されるようにガイドブロック１８上に位置決めされる。
【００３４】
このガイドブロック１８は、その上面部に所定長さの凸状支持台１９が嶺のように形成されており、この支持台１９の凸部は屈曲成型された板バネ素材１１の下向きに向いた逆Ｕ字状の溝部に緊密に嵌合する形状及び大きさとされている。従って、ローラ寄せ板バネ素材集合シート１０が前述した工程を経て送られてくると、供給方向先頭側に位置する屈曲成型された板バネ素材１１が順次にガイドブロック１８の凸状支持台１９に被さるように乗って支持される。
【００３５】
ローラ寄せ板バネ素材集合シート１０の供給方向先頭に位置する屈曲成型された１つの板バネ素材１１が凸状支持台１９から飛び出した位置で、ローラ寄せ板バネ素材集合シート１０の供給は一時停止され、ガイドブロック１８の上部に位置する押さえ具２０が降りて来て、凸状支持台１９に乗って支持されている屈曲成型された板バネ素材１１を押さえて固定する。
【００３６】
ところで、このガイドブロック１８は、切断機能、押し込み機能、及びガイド機能を併せ持ったもので、このガイドブロック１８は当該ブロックに対して上下動するカッター刃兼プッシャー（押し込み棒）２１と組み合わされて用いられる。つまり、ローラ寄せ板バネ素材集合シート１０の供給方向先頭部に位置する板バネ素材１１がガイドブロック１８の前述した箇所に位置決めされと、上方からカッター刃兼プッシャー２１が降りて来る。
【００３７】
この時、カッター刃兼プッシャー２１は、Ｓ字形に曲げられた板バネ素材１１の最上部における側縁に連接している連接片１３を当該側縁に沿って切断し、これにより１つのローラ寄せ板バネ５が取得される。このようにカッター刃兼プッシャー２１が上方から降りて来て板バネ素材１１の側縁に沿って連接片１３を切断する（板バネ素材の長手方向に沿って切断力が掛かる）点はこの発明にとって極めて重要であり、これが大きな特徴とも言える。
【００３８】
その後、カッター刃兼プッシャー２１が、切り取られたローラ寄せ板バネ５をそのままガイドブロック１８の案内溝１８ａに沿って押し下げ、ガイドブロック１８の下面側に回転可能に配置された、組み立てられるべきワンウェイクラッチのクラッチ本体１のネスト部６に挿入する。その際、クラッチ本体１を回転してネスト部６を所定の位置に進める工程は、ローラ寄せ板バネ素材集合シートが供給され、この集合シートからローラ寄せ板バネ素材を切断して成形し、これを押し下げてローラ寄せ板バネ挿入位置まで来る時間と正確に同期させられている。すなわち、最終的に、ローラ寄せ板バネ５の押し下げが始まるとクラッチ本体１が回転されてそのネスト部６がローラ寄せ板バネ挿入位置まで進むようにそれまでの全ての工程が同期されている。
【００３９】
このように、この第１の実施形態によれば、ローラ寄せ板バネ素材集合シート１０をいわゆる両側が櫛歯状になるように、言い換えれば隣接する短冊状の板バネ素材１１の側縁同士が接続片１３で相互に連結するように形成し、接続片１３を通る仮想の軸線１２を境にその両端部分を下方に曲げて板バネ形状にすることにより、縦方向（バネへの作用力とは９０度異なる方向）に位置している板バネ素材１１を上下動するカッター刃でその側縁を切断してローラ寄せ板バネ素材集合シート１０から切り離すことできる。
【００４０】
そのため、ローラ寄せ板バネ素材集合シート１０から取得されたローラ寄せ板バネ５をそのままプッシャーで下方へ移動させてクラッチ本体１のネスト部６に装着することができる。従って、ワンウェイクラッチ組立機の機構を単純にでき、その結果組立機の速度を上げて生産性を向上させることができる。
【００４１】
しかも、板バネ素材を上方からカッター刃兼プッシャー２１を降ろして板バネ素材の長手方向に沿う側縁をローラ寄せ板バネ素材集合シートから切断し、そのまま下方向へ移動させてクラッチ本体のネスト部に挿入するようにしているため、板バネに不適正な変形力を与えることもなく、従って高い歩留まりでワンウェイクラッチ組み立てを行うことができる。
【００４２】
次に、この発明の第２の実施形態に係る、ローラ寄せ板バネをクラッチ本体に装着する方法について図６を参照して説明する。この実施形態の場合、金属製の細長い薄板鋼板がコイル体から一対の送り出しローラによって間欠的に一定の送りピッチで引き出され、スリットパンチング機械（図示せず）によって両側縁側から所定の深さのスリットが所定の間隔で入れられ、これにより第１の実施形態におけるローラ寄せ板バネ素材集合シートと同様なローラ寄せ板バネ素材集合シート３０が形成されるまでの工程は、前述した第１の実施形態と同じである。
【００４３】
この第２の実施形態では、ローラ寄せ板バネ素材集合シート３０における短冊状をした板バネ素材３１が、接続片３３上の仮想軸線３２を境にして一方の端部分を上方へ且つ他方の端部分を下方側へ曲げてほぼＳ字形又はＺ字形の板バネ形状に形成される。
【００４４】
このように板バネ素材３１を、接続片３３上の仮想軸線３２を境にして一方の部分を上方へ且つ他方の部分を下方側へ曲げてほぼＳ字形又はＺ字形に形成して板バネ形状にするため、この実施形態のローラ寄せ板バネ素材集合シート３０では、図６から明らかなようにローラ寄せ板バネ素材集合シート３０が両櫛歯状に形成される時、接続片３３の位置即ち仮想の軸線３２の通る位置は、板バネ素材３１の両端３１ａ、３１ｂ間のほぼ二等分位置であることが分かる。
【００４５】
ローラ寄せ板バネ素材集合シート３０の各板バネ素材３１が供給方向先頭部から順次に前述した形に曲げられた後は、ローラ寄せ板バネ素材集合シート３０の一定の送り出しによって、供給方向先頭の板バネ素材３１は、図６に示されるように固定カッター台３４に乗せられる。この固定カッター台３４は、図７に示されるようにローラ寄せ板バネ素材集合シート３０の仮想の軸線３２に直交する側の前端部から板バネ素材と同じ幅の溝状切欠き部３４ａが形成されている。
【００４６】
更に、この固定カッター台３４において、溝状切欠き部３４ａを境にしてローラ寄せ板バネ素材集合シート側に位置する端部は、側面から見て三角形状をした支持台部３４ｂとなっている。つまり、ローラ寄せ板バネ素材集合シート３０の供給方向先頭の板バネ素材３１が固定カッター台３４に接近してくると、三角形状をした支持台部３４ｂが板バネ素材３１の下側の横Ｖ字状溝部３１ｃに相対的に入ることができるような形状となっている
【００４７】
これにより、支持台部３４ｂは接続片３３をその支持台部３４ｂ上に乗せた状態で板バネ素材３１の通過を許し、その結果供給方向先頭の板バネ素材３１は固定カッター台３４の溝状切欠き部３４ａにまで移動することができる。供給方向先頭の板バネ素材３１が溝状切欠き部３４ａに位置すると、この板バネ素材３１の進行方向側の側縁から張り出している接続片３１が溝状切欠き部３４ａを境にして支持台部３４ｂとは反対側のストッパー台３４ｃ上に乗ると同時に下側の板バネ素材屈曲部がストッパー台３４ｃの側面に当接して停止する。
【００４８】
他方、この固定カッター台３４の前端部に対向する位置には、回転軸３５の端部に固定された旋回カッター台３６が配置されている。この旋回カッター台３６は、固定カッター台３４の前端部に対向する端部には側面から見て三角形状をした可動カッター刃３６ａが一体的に形成されており、この可動カッター刃３６ａは、通常の待機位置として、溝状切欠き部３４ａと同一位置にあって、固定カッター台３４の上面より板バネ素材３１の厚み分だけ高い位置にある。
【００４９】
その結果、板バネ素材３１が前述したようにして固定カッター台３４の溝状切欠き部３４ａに移動して来た時には、旋回カッター台３６の三角形状をした可動カッター刃３６ａが板バネ素材３１の上側の横Ｖ字状溝部３１ｄに相対的に入ることになる。その結果、この旋回カッター台３６が回転軸３５により回転すると、可動カッター刃３６ａが溝状切欠き部３４ａ内を通過しながら下方向へ動き、板バネ素材３１を、その両側縁に接続している接続片３１から切り離す。
【００５０】
そして、旋回カッター台３６は、可動カッター刃３６ａが下向きになるまでガイドプレート３９に沿って回転させられる。旋回カッター台３６の回転により接続片３３から切り取られた板バネ素材３１は、可動カッター刃３６ａの向き変更と共に図７に示す如く縦向きにその向きを変える。旋回カッター台３６には貫通路３７が形成され、貫通路３７にはプッシャー３８が摺動可能に配置されている。
【００５１】
プッシャー３８の先端部は、旋回カッター台３６の三角形状をした可動カッター刃３６ａの下面に沿って突出可能な状態にされており、切り取られた板バネ素材３１の屈曲部に対向している。これにより旋回カッター台３６が前述したように板バネ素材３１をローラ寄せ板バネ素材集合シートから切り離しながら９０度回転して旋回カッター台３６が下向きになった時、旋回カッター台３６内の貫通路３７を摺動するようにプッシャー３８が適当な動力によって突き出される。
【００５２】
そのため。プッシャー３８の先端部３８ａが、ローラ寄せ板板バネの屈曲部を突き出して、旋回カッター台３６の三角形状をした可動カッター刃３６ａに嵌合して縦向きに保持されていたローラ寄せ板バネが下方向へ押し出され、そのままガイド溝に沿って下方向へ移動して、その直下に位置決めされているワンウェイクラッチのクラッチ本体１のネスト部６に挿入されて組み付けられる。
【００５３】
この第２の実施形態のローラ寄せ板バネをクラッチ本体に装着する方法では、板バネ素材を上方から旋回カッター台の可動カッター刃を落として板バネ素材をローラ寄せ板バネ素材集合シートから切断し、そのまま下方向へ回転しながら移動させてクラッチ本体のネスト部に挿入するようにしているため、板バネに不適正な変形力を与えることもなく、且つ切断から挿入までの一回の工程で行うことができるため、切断から挿入までの工程のスピードアップが可能で、その結果歩留まりを高めながら生産性を向上させることができる。
【００５４】
なお、前述した実施形態に係るローラ寄せ板バネをクラッチ本体に装着する方法及びこの方法に用いるローラ寄せ板バネ素材集合シートでは、ローラ寄せ板バネ素材をＳ字状又はＺ字状に成形してローラ寄せ板バネとしたが、この発明ではこの形状に限定されるものではなく、Ｕ字状、Ｖ字状、Ｃ字状、或いはコイル状に成形してクラッチ本体のネスト部に挿入することができる。
【００５５】
更に、この発明では、金属製の細長い薄板を巻いたコイル体１４からローラ寄せ板バネ素材集合シートを形成し、これを切り取って個々のローラ寄せ板バネにしてクラッチ本体のネスト部に装着したが、この発明は金属製に限定されるものではなく、非鉄金属、樹脂、紙、布、セルロイド、木、竹等、ローラ寄せ板バネとして使用することができるすべての素材に適用することができる。
【００５６】
【発明の効果】
以上説明したように、本発明のローラ寄せ板バネをクラッチ本体に装着する方法及びこの方法に用いるローラ寄せ板バネ素材集合シートによれば、ローラ寄せ板バネの組み立てスピードを速めることができることから組立て時間を短縮でき、これにより生産性を向上させて、安価な製造コストでワンウェイクラッチの組み立てを行うことができる。
【００５７】
また、本発明によれば、ローラ寄せ板バネ素材集合シートからローラ寄せ板バネ素材を切り取る際に、ローラ寄せ板バネ素材をその長手方向に沿う側縁にそって接続片から切り取り、且つ主としてその切断力が付与される方向への移動力によりローラ寄せ板バネをクラッチ本体へ移動させるようにしているため不適正な変形力が加わり難く、その結果高い歩留まりでローラ寄せ板バネをクラッチ本体に装着することができる。
【図面の簡単な説明】
【図１】この発明の第１の実施形態に係るローラ寄せ板バネをクラッチ本体に装着する方法の実施状態を概略的に示す斜視図である。
【図２】図１に示されるローラ寄せ板バネをクラッチ本体に装着する方法において使用するローラ寄せ板バネ素材集合シートの供給方向先頭側を部分的に示す平面図である。
【図３】図２に示されるローラ寄せ板バネ素材集合シートを供給中に供給方向先頭部のローラ寄せ板バネ素材を屈曲成型する状態を概略的に示す断面図である。
【図４】図２に示されるローラ寄せ板バネ素材集合シートを供給中に供給方向先頭部の屈曲成型されたローラ寄せ板バネ素材をローラ寄せ板バネ素材集合シートから切断してクラッチ本体のネスト部に装着する状態を概略的に示す断面図である。
【図５】図４のＡ−Ａに沿って切断し、ローラ寄せ板バネ素材集合シートから屈曲成型されたローラ寄せ板バネ素材を切断してクラッチ本体のネスト部に装着する状態を概略的に示す断面図である。
【図６】この発明の第２の実施形態に係るローラ寄せ板バネをクラッチ本体に装着する方法の実施状態を概略的に示す斜視図である。
【図７】図６に示される第２の実施形態に係るローラ寄せ板バネをクラッチ本体に装着する方法で用いる切断装置の固定カッター台の前端部形状を示す部分的な斜視図である。
【図８】図６に示される第２の実施形態に係るローラ寄せ板バネをクラッチ本体に装着する方法においてローラ寄せ板バネ素材集合シートからローラ寄せ板バネ素材を切断してローラ寄せ板バネとし、これをラッチ本体のネスト部に装着する状態を概略的に示す断面図である。
【図９】ローラ寄せ板バネが装着されたクラッチ本体を備えるワンウェイクラッチを示す平面図である。
【図１０】クラッチ本体のネスト部へローラ寄せ板バネを装着した際の状態を示すため、クラッチ本体を部分的に破断して示すワンウェイクラッチの側面図である。
【図１１】従来のローラ寄せ板バネをクラッチ本体に装着する方法において使用されるローラ寄せ板バネ素材集合シートを部分的に示す斜視図である。
【符号の説明】
１  クラッチ本体
５  ローラ寄せ板バネ
６  ネスト部
１０  ローラ寄せ板素材集合シート
１１  ローラ寄せ板素材
１１ａ  ローラ寄せ板素材の一端
１１ｂ  ローラ寄せ板素材の他端
１２  接続片上の仮想の中心軸線
１３  接続片
１４  コイル体
１５  送り出しローラ
１６  固定下型
１７  可動上型
１８  ガイドブロック
１８ａ  案内溝
１９  凸状支持台
２０  押さえ具
２１  カッター刃兼プッシャー
３０  ローラ寄せ板素材集合シート
３１  ローラ寄せ板素材
３１ａ  横Ｖ字状溝部
３１ｂ  ローラ寄せ板素材の他端
３１ｃ  下側の横Ｖ字状溝部
３１ｄ  上側の横Ｖ字状溝部
３２  接続片上の仮想の中心軸線
３３  接続片
３４  固定カッター台
３４ａ  溝状切欠き部
３４ｂ  支持台部
３４ｃ  ストッパー台
３５  回転軸
３６  旋回カッター台
３６ａ  可動カッター刃
３７  貫通路
３８  プッシャー（押し込み棒）
【図１】
0004512292.tif 000002
【図２】
0004512292.tif 000003
【図３】
0004512292.tif 000004
【図４】
0004512292.tif 000005
【図５】
0004512292.tif 000006
【図６】
0004512292.tif 000007
【図７】
0004512292.tif 000008
【図８】
0004512292.tif 000009
【図９】
0004512292.tif 000010
【図１０】
0004512292.tif 000011
【図１１】
0004512292.tif 000012